(57)【要約】コンテンツ配布サーバ１から再生許可認証キーを受信し、その再生許可認証キーを用いてＣＤＲＯＭ２１に記録されている音楽データの暗号化を解除する。
2002093825.tif 000002
【特許請求の範囲】
【請求項１】
無料配布された記録媒体に記録されている暗号化データの暗号化解除に用いる暗号化解除キーの発行を要求するキー要求手段と、上記キー要求手段が暗号化解除キーの発行を要求すると、コンテンツ配布サーバから暗号化解除キーを受信する受信手段と、上記受信手段により受信された暗号化解除キーを用いて上記記録媒体に記録されている暗号化データの暗号化を解除する暗号化解除手段とを備えたコンテンツ再生装置。
【請求項２】
記録媒体に記録されている暗号化データが音楽データであることを特徴とする請求の範囲第１項記載のコンテンツ再生装置。
【請求項３】
暗号化解除手段により暗号化が解除された音楽データを再生する再生手段を設けたことを特徴とする請求の範囲第２項記載のコンテンツ再生装置。
【請求項４】
暗号化データを記録している記録媒体の無料配布を委託する配布委託手段と、上記記録媒体の無料配布を受けたユーザのコンテンツ再生装置から暗号化解除キーの発行要求を受けると、その暗号化解除キーを上記コンテンツ再生装置に送信する送信手段とを備えたコンテンツ配布サーバ。
【請求項５】
ユーザから代金を徴収する代金徴収手段を設けたことを特徴とする請求の範囲第４項記載のコンテンツ配布サーバ。
【請求項６】
代金徴収手段は、記録媒体の配布委託業者に対して配布手数料を支払うことを特徴とする請求の範囲第５項記載のコンテンツ配布サーバ。
【請求項７】
代金徴収手段は、コンテンツ再生装置から暗号化解除キーの発行要求を受けると、上記コンテンツ再生装置から記録媒体に記録されている暗号化データのシリアル番号を受信し、そのシリアル番号から上記記録媒体の配布委託業者を特定することを特徴とする請求の範囲第６項記載のコンテンツ配布サーバ。
【請求項８】
記録媒体に記録されている暗号化データが音楽データであることを特徴とする請求の範囲第４項記載のコンテンツ配布サーバ。
【請求項９】
送信手段は、新譜の発売日以前に暗号化解除キーの発行要求を受けると、その暗号化解除キーを新譜の発売日に送信することを特徴とする請求の範囲第８項記載のコンテンツ配布サーバ。
【請求項１０】
コンテンツ配布サーバが暗号化データを記録している記録媒体の無料配布を委託して、上記記録媒体の無料配布を受けたユーザのコンテンツ再生装置から暗号化解除キーの発行要求を受けると、その暗号化解除キーを上記コンテンツ再生装置に送信する一方、上記コンテンツ再生装置が上記コンテンツ配布サーバから暗号化解除キーを受信すると、その暗号化解除キーを用いて上記記録媒体に記録されている暗号化データの暗号化を解除するコンテンツ配布システム。
【発明の詳細な説明】
技術分野
この発明は、デジタルコンテンツを再生するコンテンツ再生装置、デジタルコンテンツを配布するコンテンツ配布サーバ及びコンテンツ配布システムに関するものである。
背景技術
従来のコンテンツ配布システムとして、レコード会社などがデジタルコンテンツである音楽データをインターネットを介して配信し、それをパソコンや携帯電話機などにダウンロードし、パソコンや携帯電話機などで音楽データを再生するものがある。
従来のコンテンツ配布システムは以上のように構成されているので、音楽データなどのデジタルコンテンツをダウンロードすれば、音楽データなどを再生することができるが、音楽データなどのデジタルコンテンツはデータ量が多いためダウンロードに長時間を要し、通信コストが嵩むなどの課題があった。
この発明は上記のような課題を解決するためになされたもので、多量のデータをダウンロードすることなく、デジタルコンテンツを再生することができるコンテンツ再生装置を得ることを目的とする。
また、この発明は、通信料のコスト高を招くことなく、デジタルコンテンツを配布することができるコンテンツ配布サーバ及びコンテンツ配布システムを得ることを目的とする。
発明の開示
この発明の係るコンテンツ再生装置は、キー要求手段が暗号化解除キーの発行を要求すると、コンテンツ配布サーバから暗号化解除キーを受信する受信手段を設け、その暗号化解除キーを用いて記録媒体に記録されている暗号化データの暗号化を解除するようにしたものである。
このことによって、多量のデータをダウンロードすることなく、デジタルコンテンツを再生することができる効果がある。また、コンテンツが記録されている記録媒体を無料配布することができるため、コンテンツ購入者層の拡大を図ることができる効果がある。
この発明の係るコンテンツ再生装置は、記録媒体に記録されている暗号化データが音楽データであるようにしたものである。
このことによって、データ量の多い音楽データ自体のダウンロードが不要になる効果がある。
この発明の係るコンテンツ再生装置は、暗号化解除手段により暗号化が解除された音楽データを再生する再生手段を設けたものである。
このことによって、音楽鑑賞を行うことができる効果がある。
この発明の係るコンテンツ配布サーバは、記録媒体の無料配布を受けたユーザのコンテンツ再生装置から暗号化解除キーの発行要求を受けると、その暗号化解除キーをコンテンツ再生装置に送信するようにしたものである。
このことによって、通信料のコスト高を招くことなく、デジタルコンテンツを配布することができる効果がある。
この発明の係るコンテンツ配布サーバは、ユーザから代金を徴収する代金徴収手段を設けたものである。
このことによって、ユーザの手を煩わすことなく、代金を徴収することができる効果がある。
この発明の係るコンテンツ配布サーバは、記録媒体の配布委託業者に対して配布手数料を支払うようにしたものである。
このことによって、配布業務委託によるビジネスチャンスが拡大する効果がある。
この発明の係るコンテンツ配布サーバは、コンテンツ再生装置から暗号化解除キーの発行要求を受けると、コンテンツ再生装置から記録媒体に記録されている暗号化データのシリアル番号を受信し、そのシリアル番号から記録媒体の配布委託業者を特定するようにしたものである。
このことによって、構成の複雑化を招くことなく、簡単に記録媒体を配布した配布委託業者を特定することができる効果がある。
この発明の係るコンテンツ配布サーバは、記録媒体に記録されている暗号化データが音楽データであるようにしたものである。
このことによって、データ量の多い音楽データ自体のダウンロードが不要になる効果がある。
この発明の係るコンテンツ配布サーバは、新譜の発売日以前に暗号化解除キーの発行要求を受けると、その暗号化解除キーを新譜の発売日に送信するようにしたものである。
このことによって、新譜の発売日に音楽を鑑賞することができる効果がある。
この発明の係るコンテンツ配布システムは、記録媒体の無料配布を受けたユーザのコンテンツ再生装置から暗号化解除キーの発行要求を受けると、その暗号化解除キーをコンテンツ再生装置に送信するようにしたものである。
このことによって、通信料のコスト高を招くことなく、デジタルコンテンツを配布することができる効果がある。
発明を実施するための最良の形態
以下、この発明をより詳細に説明するために、この発明を実施するための最良の形態について、添付の図面に従って説明する。
実施の形態１．
第１図はこの発明の実施の形態１によるコンテンツ配布システムを示す構成図である。図において、１は暗号化データである音楽データを記録しているＣＤＲＯＭ（記録媒体）の無料配布を委託する一方、コンテンツ再生装置３から再生許可認証キー（暗号化解除キー）の発行要求を受けると、その再生許可認証キーをコンテンツ再生装置３に送信するコンテンツ配布サーバ、２は音楽データが記録されているＣＤＲＯＭの無料配布を行うコンビニやキオスクなどの配布委託業者、３は再生許可認証キーの発行を要求して、コンテンツ配布サーバ１から再生許可認証キーを受信すると、その再生許可認証キーを用いてＣＤＲＯＭに記録されている音楽データの暗号化を解除して再生するコンテンツ再生装置である。
第２図はコンテンツ再生装置３を示す構成図であり、図において、１１はＣＤＲＯＭに記録されている音楽データを読み込んで、その音楽データを音楽再生端末１２に転送するパソコン、１２は再生許可認証キーの発行を要求して、コンテンツ配布サーバ１から再生許可認証キーを受信すると、その再生許可認証キーを用いて音楽データの暗号化を解除して再生する音楽再生端末である。
２１は音楽データが記録されているＣＤＲＯＭ、２２はＣＤＲＯＭ２１に記録されている音楽データを読み込んで、その音楽データを音楽再生端末１２に転送する音楽データ転送部、２３は音楽データを受信する音楽データ受信部、２４は音楽データを蓄積する音楽データ蓄積部、２５は再生許可認証キーの発行を要求して、コンテンツ配布サーバ１から再生許可認証キーを受信する携帯電話部（キー要求手段、受信手段）、２６は携帯電話部２５により受信された再生許可認証キーを記憶するキー記憶部、２７は再生許可認証キーを用いて音楽データの暗号化を解除する暗号復号部（暗号化解除手段）、２８は暗号復号部２７により暗号化が解除された音楽データを再生する音楽再生部（再生手段）、２９はスピーカである。
第３図はコンテンツ配布サーバ１を示す構成図であり、図において、３１はＣＤＲＯＭ２１の無料配布を委託する配布委託部（配布委託手段）、３２はＣＤＲＯＭ２１の無料配布を受けたユーザのコンテンツ再生装置３から再生許可認証キーの発行要求を受けると、その再生許可認証キーをコンテンツ再生装置３に送信するキー送信部（送信手段）、３３はユーザから代金を徴収するとともに、ＣＤＲＯＭ２１の配布委託業者に対して配布手数料を支払う代金徴収部（代金徴収手段）、３４はＣＤＲＯＭ２１の配布委託先と音楽データのシリアル番号との関係を管理するシリアル番号管理部である。
次に動作について説明する。
レコード会社などの音楽業者は、発売前の新譜楽曲をＭＰ３（ＭＰＥＧ  Ｌａｙｅｒ３）などの音楽データで表現して、その音楽データをＣＤＲＯＭ２１に記録する。
ここで、ＣＤＲＯＭ２１に記録される音楽データは、暗号化により再生禁止状態にされており、各音楽データには第４図に示すように、シリアル番号が付与される。ただし、どのＣＤＲＯＭ２１が、どの配布委託業者２に委託されたかが判別できるようにするため、同じ音楽データでも、記録されるＣＤＲＯＭ２１が異なれば、異なるシリアル番号が付与される。例えば、ＣＤＲＯＭＮｏ．１に記録される音楽データＡには、“Ａ０００００００１”が付与されるが、ＣＤＲＯＭＮｏ．２に記録される音楽データＡには、“Ａ０００００００２”が付与される。
コンテンツ配布サーバ１の配布委託部３１は、コンビニやキオスクなどの配布委託業者２にＣＤＲＯＭ２１の無料配布を委託する。
委託を受けたコンビニやキオスクは、ユーザがＣＤＲＯＭ２１を自由に持ち帰ることができるようにするため、例えばレジの前にＣＤＲＯＭ２１を設置する。また、配布委託業者２が雑誌編集社であるような場合には、雑誌の付録としてＣＤＲＯＭ２１を添付して、ユーザが入手できるようにする。
ユーザは配布委託業者２を介してＣＤＲＯＭ２１を入手すると、パソコン１１にＣＤＲＯＭ２１をセットする。
パソコン１１の音楽データ転送部２２は、ＣＤＲＯＭ２１に記録されている音楽データの読込を実行する。ＣＤＲＯＭ２１に記録されている１以上の音楽データのうち、例えば、ユーザが音楽データＢの再生を希望する場合には、音楽データ転送部２２が音楽データＢを音楽再生端末１２に転送する。
音楽再生端末１２の音楽データ受信部２３は、パソコン１１から転送された音楽データＢを受信し、その音楽データＢを音楽データ蓄積部２４に格納する。
音楽再生端末１２の携帯電話部２５は、ユーザから音楽データＢの暗号化解除に用いる再生許可認証キーの発行要求を受けると、コンテンツ配布サーバ１に対して再生許可認証キーの発行を要求する。なお、当該発行要求には、携帯電話部２５の電話番号の他、音楽データＢのシリアル番号等の情報が含まれているものとする。
コンテンツ配布サーバ１の代金徴収部３３は、キー送信部３２が再生許可認証キーの発行要求を受信すると、クレジットの決済処理等を実施することにより、ユーザから代金を徴収する。
キー送信部３２は、代金徴収部３３による代金の徴収が完了すると、音楽データＢの暗号化解除に用いる再生許可認証キーをコンテンツ再生装置３に送信する。ただし、新譜の発売日以前に再生許可認証キーの発行要求を受けた場合には、その再生許可認証キーを新譜の発売日に送信する。その他の場合には、できる限り迅速に再生許可認証キーを送信する。
ここで、シリアル番号管理部３４は、第５図に示すように、ＣＤＲＯＭ２１の配布委託先と音楽データのシリアル番号との関係を管理しており、音楽データＢのシリアル番号からＣＤＲＯＭ２１を配布した配布委託業者２を特定する。例えば、音楽データＢのシリアル番号が“Ｂ００００１２１１”である場合、配布委託業者２がコンビニＡ社であると特定する。
このようにして、シリアル番号管理部３４が配布委託業者２を特定すると、代金徴収部３３が当該配布委託業者２に対して配布手数料の支払いを行う。
音楽再生端末１２の携帯電話部２５は、キー送信部３２から送信された再生許可認証キーを受信し、その再生許可認証キーをキー記憶部２６に格納する。
暗号復号部２７は、再生許可認証キーがキー記憶部２６に格納されると、その再生許可認証キーを用いて音楽データＢの暗号化を解除する。
音楽再生部２８は、暗号復号部２７により暗号化が解除された音楽データを再生し、スピーカ２９から音楽を出力させる。
以上で明らかなように、この実施の形態１によれば、コンテンツ配布サーバ１から再生許可認証キーを受信し、その再生許可認証キーを用いてＣＤＲＯＭ２１に記録されている音楽データの暗号化を解除するように構成したので、データ量の多い音楽データ自体をダウンロードすることなく、音楽データの再生が可能になる。したがって、通信料を抑制することができるとともに、新譜発売日において一斉にデータをダウンロードする場合でも、ネットワークトラフィックの軽減を図ることができる効果を奏する。
なお、この実施の形態１では、ＣＤＲＯＭ２１に記録されている音楽データの暗号化を解除するものについて示したが、これに限るものではなく、例えば、動画データをＣＤＲＯＭ２１に記録し、その動画データの暗号化を解除するようにしてもよい。
実施の形態２．
第６図はこの発明の実施の形態２によるコンテンツ配布システムのコンテンツ再生装置３を示す構成図であり、第１図と同一符号は同一または相当部分を示すので説明を省略する。
４１は再生許可認証キーの発行を要求して、コンテンツ配布サーバ１から再生許可認証キーを受信するキー収集部（キー要求手段、受信手段）、４２は暗号化が解除された音楽データを格納するハードディスクである。
次に動作について説明する。
上記実施の形態１では、パソコン１１が暗号化された状態の音楽データを音楽再生端末１２に転送し、音楽再生端末１２が音楽データの暗号化を解除するものについて示したが、パソコン１１が例えばインターネット経由でコンテンツ配布サーバ１から再生許可認証キーを入手することにより音楽データの暗号化を解除し、暗号化解除後の音楽データを音楽再生端末１２に転送するようにしてもよい。
実施の形態３．
上記実施の形態１，２では、パソコン１１と音楽再生端末１２からコンテンツ再生装置３が構成されているものについて示したが、これに限るものではなく、例えば、音楽再生端末１２だけでコンテンツ再生装置３が構成されていてもよい。
産業上の利用可能性
以上のように、この発明に係るコンテンツ再生装置は、音楽データなどのデジタルコンテンツの配布を受けて、そのデジタルコンテンツを再生するものに適している。
また、この発明に係るコンテンツ配布サーバ及びコンテンツ配布システムは、音楽データなどのデジタルコンテンツを効率よく配布するものに適している。
【図面の簡単な説明】
第１図はこの発明の実施の形態１によるコンテンツ配布システムを示す構成図である。
第２図はコンテンツ再生装置３を示す構成図である。
第３図はコンテンツ配布サーバ１を示す構成図である。
第４図は音楽データに付与されているシリアル番号を示す説明図である。
第５図はＣＤＲＯＭ２１の配布委託先と音楽データのシリアル番号との関係を示す説明図である。
第６図はこの発明の実施の形態２によるコンテンツ配布システムのコンテンツ再生装置３を示す構成図である。
【図１】
2002093825.tif 000003
【図２】
2002093825.tif 000004
【図３】
2002093825.tif 000005
【図４】
2002093825.tif 000006
【図５】
2002093825.tif 000007
【図６】
2002093825.tif 000008
【国際調査報告】
2002093825.tif 000009
2002093825.tif 000010
2002093825.tif 000011
2002093825.tif 000012